(57)【特許請求の範囲】
【請求項１】
天然ガスが溶け込んだかん水を地中のガス層から汲み上げ、汲み上げたかん水から天然ガスを採取し、天然ガスを採取し終えたかん水を、当該かん水を汲み上げたガス層と同一のガス層に還元する天然ガス採取方法において、
採取用管及び還元用管を複数のガス層を貫くように地中に埋設し、各ガス層における上下二箇所にバルブを設置するとともに、各ガス層における上側のバルブを前記採取用管に連結し、各ガス層における下側のバルブを前記還元用管に連結し、
前記複数のガス層から天然ガスを採取する採取層を一つ選択し、選択した採取層における上側のバルブの採取口から採取したかん水を前記採取用管を用いて汲み上げ、天然ガスを採取し終えたかん水に比重増加剤を添加剤として混ぜ、該かん水を前記還元用管を用いて戻すとともに前記採取層における下側のバルブの排出口から排出して前記採取層に還元する
ことを特徴とする天然ガス採取方法。
【請求項２】
内管と外管とを有する二重管を複数のガス層を貫くように地中に埋設し、前記内管及び前記外管の一方を前記採取用管とし、他方を前記還元用管とする
ことを特徴とする請求項１に記載の天然ガス採取方法。
【請求項３】
天然ガスを採取し終えたかん水にマーカーを添加剤として混ぜる
ことを特徴とする請求項１又は２に記載の天然ガス採取方法。
【請求項４】
天然ガスを採取し終えたかん水の分析を行い、前記マーカーが検出された場合に前記採取層からのかん水の汲み上げを終了する
ことを特徴とする請求項３に記載の天然ガス採取方法。
【発明の詳細な説明】
【技術分野】
【０００１】
本発明は、地中のかん水に溶け込んだ天然ガスを採取する天然ガス採取方法に関する。
【背景技術】
【０００２】
特許文献１には、天然ガスが溶け込んだかん水を地中のガス層から汲み上げ、汲み上げたかん水から天然ガスを採取し、天然ガスを採取し終えたかん水を、当該かん水を汲み上げたガス層と同一のガス層に還元することにより地盤沈下を防止する天然ガス採取方法が開示されている。さらに、特許文献１には、前記ガス層において還元したかん水と汲み上げ前のかん水とが混ざることを避けるため、地中埋設管の異なる高さ位置にかん水吸入口と還元水吐出口とを設けることが開示されている。
【先行技術文献】
【特許文献】
【０００３】
【特許文献１】特開２０１４−２１８８０６号公報
【発明の概要】
【発明が解決しようとする課題】
【０００４】
しかし、特許文献１に開示された天然ガス採取方法においては、地中埋設管の異なる高さ位置にかん水吸入口と還元水吐出口とを設けているものの、還元したかん水と汲み上げ前のかん水とが混ざらないようにするための手段として不十分であり、還元したかん水が時間の経過とともに徐々に汲み上げ前のかん水に混ざっていってしまうという問題があった。なお、還元したかん水が汲み上げ前のかん水に混ざると、汲み上げるかん水の天然ガス濃度が低くなってしまい、天然ガスの採取効率が悪くなってしまう。
【０００５】
さらに、特許文献１に開示された天然ガス採取方法は、１つのガス層から天然ガスを採取することを前提とした天然ガス採取方法であり、ガス層が複数層存在するガス田において１つの井戸により複数のガス層から天然ガスを採取する場合にそのまま適用することはできない。
【０００６】
そこで、本発明は、ガス層が複数層存在するガス田において地盤沈下を防止しつつ効率良く天然ガスを採取することができる天然ガス採取方法を提供することを第１の目的とし、ガス層が複数層存在するガス田において１つの井戸で複数のガス層に対しかん水の採取及び還元を行うことができ、かつ、地盤沈下を防止しつつ効率良く天然ガスを採取することができる天然ガス採取方法を提供することを第２の目的とする。
【課題を解決するための手段】
【０００７】
請求項１に記載された発明は、第１の目的を達成するために、天然ガスが溶け込んだかん水を地中のガス層から汲み上げ、汲み上げたかん水から天然ガスを採取し、天然ガスを採取し終えたかん水を、当該かん水を汲み上げたガス層と同一のガス層に還元する天然ガス採取方法において、採取用管及び還元用管を複数のガス層を貫くように地中に埋設し、各ガス層における上下二箇所にバルブを設置するとともに、各ガス層における上側のバルブを前記採取用管に連結し、各ガス層における下側のバルブを前記還元用管に連結し、前記複数のガス層から天然ガスを採取する採取層を一つ選択し、選択した採取層における上側のバルブの採取口から採取したかん水を前記採取用管を用いて汲み上げ、天然ガスを採取し終えたかん水に比重増加剤を添加剤として混ぜ、該かん水を前記還元用管を用いて戻すとともに前記採取層における下側のバルブの排出口から排出して前記採取層に還元することを特徴とする天然ガス採取方法である。
【０００８】
請求項２に記載された発明は、第２の目的を達成するために、請求項１に記載された発明において、内管と外管とを有する二重管を複数のガス層を貫くように地中に埋設し、前記内管及び前記外管の一方を前記採取用管とし、他方を前記還元用管とすることを特徴とするものである。
【０００９】
請求項３に記載された発明は、請求項１又は２に記載された発明において、天然ガスを採取し終えたかん水にマーカーを添加剤として混ぜることを特徴とするものである。
【００１０】
請求項４に記載された発明は、請求項３に記載された発明において、天然ガスを採取し終えたかん水の分析を行い、前記マーカーが検出された場合に前記採取層からのかん水の汲み上げを終了することを特徴とするものである。
【発明の効果】
【００１１】
請求項１に記載された発明によれば、天然ガスを採取し終えたかん水を、当該かん水を汲み上げたガス層と同一のガス層に還元するので、地盤沈下を防止することができる。また、天然ガスが溶け込んだかん水を採取層における上側のバルブから採取し、天然ガスを採取し終えて比重が大きくなったかん水にさらに比重増加剤を添加剤として混ぜ、該かん水を前記採取層における下側のバルブから排出するので、還元したかん水が採取層の下部に蓄積され、還元したかん水と汲み上げ前のかん水とが混ざらないようにすることができる。このように、本発明によれば、ガス層が複数層存在するガス田において地盤沈下を防止しつつ効率良く天然ガスを採取することができる天然ガス採取方法を提供することができる。
【００１２】
請求項２に記載された発明によれば、内管と外管とを有する二重管を複数のガス層を貫くように地中に埋設し、前記内管及び前記外管の一方を前記採取用管とし、他方を前記還元用管とすることにより、請求項１の効果に加えて、１つの井戸で複数のガス層に対しかん水の採取及び還元を行うことができる。このように、本発明によれば、ガス層が複数層存在するガス田において１つの井戸で複数のガス層に対しかん水の採取及び還元を行うことができ、かつ、地盤沈下を防止しつつ効率良く天然ガスを採取することができる天然ガス採取方法を提供することができる。
【００１３】
請求項４に記載された発明によれば、天然ガスを採取し終えたかん水の分析を行い、前記マーカーが検出された場合に前記採取層からのかん水の汲み上げを終了するので、効率良く天然ガスを採取することができる。
【図面の簡単な説明】
【００１４】
【図１】本発明の第１の実施形態にかかる天然ガス採取方法を説明する概略図である。
【図２】図１の３つのガス層のうち最上層から天然ガスを採取する場合の各バルブの動作を説明する説明図である。
【図３】図１の３つのガス層のうち中間層から天然ガスを採取する場合の各バルブの動作を説明する説明図である。
【図４】図１の３つのガス層のうち最下層から天然ガスを採取する場合の各バルブの動作を説明する説明図である。
【図５】図１の各ガス層における上側のバルブを構成するバルブ本体の平面図である。
【図６】図５中のＡ−Ａ線に沿った断面図である。
【図７】図５中のＢ−Ｂ線に沿った断面図である。
【図８】図５のバルブ本体に組み付けられるディスクの平面図である。
【図９】図８中のＣ−Ｃ線に沿った断面図である。
【図１０】図１の各ガス層における下側のバルブを構成するバルブ本体の平面図である。
【図１１】図１０中のＤ−Ｄ線に沿った断面図である。
【図１２】図１０中のＥ−Ｅ線に沿った断面図である。
【図１３】図１０のバルブ本体に組み付けられるディスクの平面図である。
【図１４】図１３中のＦ−Ｆ線に沿った断面図である。
【図１５】図２のバルブ３１の動作を説明する説明図である。
【図１６】図２のバルブ３１の動作を説明する説明図である。
【図１７】図３のバルブ３１の動作を説明する説明図である。
【図１８】図３のバルブ３１の動作を説明する説明図である。
【図１９】図２のバルブ３２の動作を説明する説明図である。
【図２０】図３のバルブ３２の動作を説明する説明図である。
【図２１】図３のバルブ３２の動作を説明する説明図である。
【図２２】本発明の第２の実施形態にかかる天然ガス採取方法を説明する概略図である。
【発明を実施するための形態】
【００１５】
（第１の実施形態）
本発明の第１の実施形態にかかる「天然ガス採取方法」を、図１〜２１を参照して説明する。本実施形態の天然ガス採取方法は、図１に示す天然ガス採取システムを用いた天然ガス採取方法であり、ガス層１１〜１３が複数層存在するガス田において１つの井戸で複数のガス層１１〜１３に対しかん水の採取及び還元を行う天然ガス採取方法である。図１に示す天然ガス採取システムは、二重管２０、バルブ３１〜３６、ガスリフト用コンプレッサー４１、ガスリフト管４０、コンプレッサー４８、ガス貯蔵タンク４２、ヨード回収工場４５、かん水調整部４６、流量計４４，４７、等からなる。
【００１６】
二重管２０は、外管（特許請求の範囲の「還元用管」に相当する。）２２内に内管（特許請求の範囲の「採取用管」に相当する。）２１が配置され、かつ、外管２２と内管２１が同軸上に配置されたものである。この二重管２０は、複数のガス層１１〜１３を貫くように地中に埋設されている。ガス層１１〜１３は、天然ガスが溶け込んだかん水を含有している。バルブ３１〜３６は、内管２１及び外管２２に連結し、かつ、各ガス層１１〜１３における上下二箇所に設置されている。ガスリフト用コンプレッサー４１は、地表１０に設置されており、ガスリフト管４０を介して内管２１に高圧ガスを送る。
【００１７】
ガス貯蔵タンク４２には、ガス層１１〜１３から汲み上げたかん水から採取した天然ガスが貯蔵される。ガス層１１〜１３から汲み上げたかん水は、図１の矢印Ｋ１で示すように、内管２１内を上昇し、地表１０近傍で天然ガスが分離する。そして、分離した天然ガスが、図１の矢印Ｋ２で示すようにコンプレッサー４８で圧縮されてガス貯蔵タンク４２に貯蔵される。ガス貯蔵タンク４２に貯蔵された天然ガスは、発電施設４３等の供給先に送られる。一方、天然ガスを採取し終えたかん水は、ヨード回収工場４５に送られてヨード分が回収され、かん水調整部４６に送られる。
【００１８】
また、ガス層１１〜１３からかん水を汲み上げる際は、複数のガス層１１〜１３から同時にかん水を汲み上げることはせず、予め採取層として選択した１つのガス層１１〜１３からかん水を汲み上げる。
【００１９】
かん水調整部４６では、かん水に比重増加剤及びマーカーが添加剤として混ぜられ、さらに水が足される。比重増加剤として、本実施形態では、環境に無害な水酸化セリウムが用いられる。マーカーとして、本実施形態では、環境に無害な着色料が用いられる。本発明において、比重増加剤は、前述した水酸化セリウム以外に、環境に無害な物質でかつ、かん水の比重を増加させることが可能な物質を用いることができる。また、本発明において、マーカーは、前述した着色料以外に、環境に無害な物質でかつ、かん水調整部４６で添加されたことが識別可能な物質を用いることができる。
【００２０】
このようにしてかん水調整部４６で添加剤及び水が添加されたかん水は、図１の矢印Ｋ３で示すように外管２２内を下降し、当該かん水を汲み上げたガス層１１〜１３と同一のガス層１１〜１３に還元される。また、かん水調整部４６から外管２２内にかん水を戻す際は、内管２１から汲み上げられたかん水の量と同量となるように調整が行われる。流量計４４，４７は、この調整を行うためのものである。これらのことにより、地盤沈下を防止することができる。
【００２１】
さらに、かん水調整部４６では、かん水から前記マーカーが検出されるか否かの分析を行う。マーカーが検出された場合、当該かん水の採取層における天然ガス残存量が底をついたことになるので、当該採取層からのかん水の汲み上げを終了し、採取層を天然ガスが存在する他のガス層１１〜１３に変更する。これらのことにより、効率良く天然ガスを採取することができる。
【００２２】
また、本発明の天然ガス採取方法においては、天然ガスが溶け込んだかん水を採取層における上側のバルブから採取し、天然ガスを採取し終えたかん水を前記採取層における下側のバルブから排出して前記採取層に還元する。例えば、図１の３つのガス層１１〜１３のうち最上層１１から天然ガスを採取する場合、図２に示すように、天然ガスが溶け込んだかん水をガス層１１における上側のバルブ３１から採取し、天然ガスを採取し終えたかん水をガス層１１における下側のバルブ３２から排出する。
【００２３】
また、図１の３つのガス層１１〜１３のうち中間層１２から天然ガスを採取する場合、図３に示すように、天然ガスが溶け込んだかん水をガス層１２における上側のバルブ３３から採取し、天然ガスを採取し終えたかん水をガス層１２における下側のバルブ３４から排出する。この際、最上層１１のバルブ３１，３２は、内管２１及び外管２２共にかん水を通過させるように動作する。
【００２４】
また、図１の３つのガス層１１〜１３のうち最下層１３から天然ガスを採取する場合、図４に示すように、天然ガスが溶け込んだかん水をガス層１３における上側のバルブ３５から採取し、天然ガスを採取し終えたかん水をガス層１３における下側のバルブ３６から排出する。この際、最上層１１のバルブ３１，３２及び中間層１２のバルブ３３，３４は、内管２１及び外管２２共にかん水を通過させるように動作する。
【００２５】
上述した各ガス層における上側のバルブ３１，３３，３５は同一構成となっている。これら各ガス層における上側のバルブ３１，３３，３５は、図２〜４に示すように、その働きが、かん水採取及び外管２２通過、外管２２と内管２１共に通過の２通りである。また、各ガス層における下側のバルブ３２，３４，３６は同一構成となっている。これら各ガス層における下側のバルブ３２，３４，３６は、図２〜４に示すように、その働きが、かん水（戻り水）排出及び内管２１閉鎖、外管２２と内管２１共に通過の２通りである。これらバルブ３１〜３６の切り替えは図示しないエアーシリンダーにより行う。
【００２６】
上述したように、本発明の天然ガス採取方法においては、天然ガスが溶け込んだかん水を採取層における上側のバルブから採取し、天然ガスを採取し終えて比重が大きくなったかん水にさらに比重増加剤を添加剤として混ぜ、該かん水を前記採取層における下側のバルブから排出するので、還元したかん水が採取層の下部に蓄積され、還元したかん水と汲み上げ前のかん水とが混ざらないようにすることができる。これらのことにより、効率良く天然ガスを採取することができる。
【００２７】
また、本発明の天然ガス採取方法においては、内管２１と外管２２とを有する二重管２０を複数のガス層１１〜１３を貫くように地中に埋設し、各ガス層１１〜１３における上下二箇所に内管２１及び外管２２に連結したバルブ３１〜３６を設置することにより、所望のガス層１１〜１３から天然ガスを採取することができる。このように、本発明の天然ガス採取方法によれば、ガス層が複数層存在するガス田において１つの井戸で複数のガス層に対しかん水の採取及び還元を行うことができ、かつ、地盤沈下を防止しつつ効率良く天然ガスを採取することができる。
【００２８】
続いて、上述したバルブ３１〜３６の具体的な構造及び動作を図５〜２１を参照して説明する。バルブ３１，３３，３５は同一構成であるため、代表してバルブ３１について説明し、他の説明を省略する。また、バルブ３２，３４，３６は同一構成であるため、代表してバルブ３２について説明し、他の説明を省略する。
【００２９】
バルブ３１は、図５〜７に示すバルブ本体６に図８〜９に示すディスク７が組み付けられてなるロータリーディスクバルブである。バルブ本体６は、外形が円柱状であり、その中心に貫通形成された中心孔６１と、中心孔６１の外側に貫通形成された一対の外側孔６３と、同じく中心孔６１の外側に貫通形成された一対の外側孔６４と、中心孔６１の内面から凹に形成された一対の凹部６２と、中心孔６１の内面及びバルブ本体６の外周面に開口した一対の横孔６５と、を有している。
【００３０】
図７に示すように、横孔６５内には仕切り板６６が取り付けられ、仕切り板６６によって横孔６５が採取口６７とガス圧入口６８とに区画されている。採取口６７にはかん水が通され、ガス圧入口６８にはガスリフト管４０から送られた高圧ガスが通される。ガス圧入口６８における中心孔６１側の一端部６８ｂは、ガス圧入口６８におけるガスリフト管４０側の他端部６８ａよりも断面積が小さく形成されている。一端部６８ｂは、採取口６７と合流している。このように、バルブ３１は、採取口６７にベンチュリー効果が生じるように形成されている。すなわち、バルブ３１は、一端部６８ｂにおいてガスの流速を増加させることにより一端部６８ｂの圧力を低くして、採取口６７を通されるかん水の吸い込み効率が上がるように形成されている。
【００３１】
ディスク７は、有底円筒状の筒部７２と、筒部７２の上端から外側に延びた鍔部７１と、筒部７２の外周面に貫通形成された一対の開口部７３と、筒部７２の外周面に貫通形成されかつ一対の開口部７３と異なる高さ位置に形成された一対の開口部７４と、鍔部７１に貫通形成された一対の外側孔７５と、を有している。
【００３２】
バルブ３１は、一対の外側孔７５が一対の外側孔６４と重なると、図１５に示すように、一対の横孔６５が一対の開口部７３と重なって、採取口６７、開口部７３、筒部７２内部、内管２１が連通し、ガス層１１から内管２１にかん水が採取される。また、一対の外側孔７５が一対の外側孔６４と重なると、図１６に示すように、外管２２（バルブ３１の上側）、外側孔７５、外側孔６４、外管２２（バルブ３１の下側）が連通し、かん水（戻り水）が外管２２を通過する。
【００３３】
一方、バルブ３１は、一対の外側孔７５が一対の外側孔６３と重なると、図１７に示すように、一対の凹部６２が一対の開口部７４と重なって、内管２１（バルブ３１の下側）、中心孔６１、凹部６２、開口部７４、筒部７２内部、内管２１（バルブ３１の上側）が連通し、かん水が内管２１を通過する。また、一対の外側孔７５が一対の外側孔６３と重なると、図１８に示すように、外管２２（バルブ３１の上側）、外側孔７５、外側孔６３、外管２２（バルブ３１の下側）が連通し、かん水（戻り水）が外管２２を通過する。
【００３４】
バルブ３２は、図１０〜１２に示すバルブ本体８に図１３〜１４に示すディスク９が組み付けられてなるロータリーディスクバルブである。バルブ本体８は、外形が円柱状であり、その中心に貫通形成された中心孔８１と、バルブ本体８の上面及びバルブ本体８の外周面に開口した一対の排出口８３と、中心孔８１の外側に貫通形成された一対の外側孔８４と、中心孔８１の内面から凹に形成された一対の凹部８２と、を有している。
【００３５】
ディスク９は、有底円筒状の筒部９２と、筒部９２の上端から外側に延びた鍔部９１と、筒部９２の外周面に貫通形成された一対の開口部９３と、鍔部９１に貫通形成された一対の外側孔９４と、を有している。
【００３６】
バルブ３２は、一対の外側孔９４が一対の排出口８３と重なると、図１９に示すように、外管２２（バルブ３２の上側）、外側孔９４、排出口８３が連通し、外管２２からガス層１１にかん水（戻り水）が排出される。また、一対の外側孔９４が一対の排出口８３と重なると、図１９に示すように、内管２１が閉鎖される。
【００３７】
一方、バルブ３２は、一対の外側孔９４が一対の外側孔８４と重なると、図２０に示すように、一対の凹部８２が一対の開口部９３と重なって、内管２１（バルブ３２の下側）、中心孔８１、凹部８２、開口部９３、筒部９２内部、内管２１（バルブ３２の上側）が連通し、かん水が内管２１を通過する。
【００３８】
また、一対の外側孔９４が一対の外側孔８４と重なると、図２１に示すように、外管２２（バルブ３２の上側）、外側孔９４、外側孔８４、外管２２（バルブ３２の下側）が連通し、かん水（戻り水）が外管２２を通過する。
【００３９】
なお、上述した第１の実施形態では、内管２１を用いてかん水を汲み上げ、外管２２を用いてかん水（戻り水）を採取層に戻す構成であったが、本発明では、外管を用いてかん水を汲み上げ、内管を用いてかん水（戻り水）を採取層に戻す構成であっても良い。
【００４０】
（第２の実施形態）
本発明の第２の実施形態にかかる「天然ガス採取方法」を、図２２を参照して説明する。図２２において、前述した第１の実施形態と同一構成部分には同一符号を付して説明を省略する。
【００４１】
本実施形態の天然ガス採取方法は、図２２に示す天然ガス採取システムを用いた天然ガス採取方法であり、ガス層１１〜１３が複数層存在するガス田において３つの採取井戸と３つの還元井戸を用いて複数のガス層１１〜１３に対しかん水の採取及び還元を行う天然ガス採取方法である。各採取井戸には採取用管１２１が複数のガス層１１〜１３を貫くように地中に埋設されており、各採取用管１２１は複数のガス層１１〜１３からかん水の採取を行う。また、各還元井戸には還元用管１２２が複数のガス層１１〜１３を貫くように地中に埋設されており、各還元用管１２２は複数のガス層１１〜１３にかん水の還元を行う。
【００４２】
採取用管１２１の各ガス層１１〜１３上部に位置する部分には、バルブ１３１，１３３，１３５が設置されている。これらバルブ１３１，１３３，１３５は、その働きが、かん水採取又は採取用管１２１通過の２通りである。
【００４３】
還元用管１２２の各ガス層１１〜１３下部に位置する部分には、バルブ１３２，１３４，１３６が設置されている。これらバルブ１３２，１３４，１３６は、その働きが、かん水（戻り水）排出又は還元用管１２２通過の２通りである。
【００４４】
また、ガス層１１〜１３からかん水を汲み上げる際は、複数のガス層１１〜１３から同時にかん水を汲み上げることはせず、予め採取層として選択した１つのガス層１１〜１３からかん水を汲み上げる。さらに、選択した採取層からかん水を汲み上げる際は、３本の採取用管１２１を同時に使用しても良いし、１本又は２本を使用しても良い。
【００４５】
そして、第１の実施形態と同様に天然ガスが採取されて、かん水調整部４６で添加剤及び水が添加されたかん水は、還元用管１２２内を下降し、当該かん水を汲み上げたガス層１１〜１３と同一のガス層１１〜１３、すなわち採取層に還元される。また、かん水調整部４６から還元用管１２２内にかん水を戻す際は、採取用管１２１から汲み上げられたかん水の量と同量となるように調整が行われる。この調整の際に、余剰なかん水は還元井戸以外の場所に排水されても良い。さらに、かん水を採取層に還元する際は、３本の還元用管１２２を同時に使用しても良いし、１本又は２本を使用しても良い。
【００４６】
このように、複数対の採取用管１２１及び還元用管１２２を用いることにより、ガス層が複数層存在するガス田において地盤沈下を防止しつつ効率良く天然ガスを採取することができる。
【００４７】
なお、上述した第２の実施形態では、３対の採取用管１２１及び還元用管１２２を用いる例を説明したが、採取用管１２１及び還元用管１２２は少なくとも１対設けられていれば良い。また、採取用管１２１の数と還元用管１２２の数は同数でなくても良い。例えば、採取用管１２１が２つ設けられ、還元用管１２２が１つ設けられていても良い。これらの場合も、上記バルブ１３１、１３３、１３５は、採取用管１２１の各ガス層上部に位置する部分にそれぞれ設置され、上記バルブ１３２、１３４、１３６は、還元用管１２２の各ガス層下部に位置する部分にそれぞれ設置される。
【００４８】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４９】
１０  地表
１１〜１３  ガス層
２０  二重管
２１  内管（採取用管）
２２  外管（還元用管）
３１〜３６  バルブ
４０  ガスリフト管
４１  ガスリフト用コンプレッサー
４２  ガス貯蔵タンク
４３  発電施設
４５  ヨード回収工場
４６  かん水調整部
４４，４７  流量計
４８  コンプレッサー
１２１  採取用管
１２２  還元用管
１３１〜１３６  バルブ
【要約】
【課題】ガス層が複数層存在するガス田において１つの井戸により複数のガス層から天然ガスを採取する際、地盤沈下を防止しつつ効率良く天然ガスを採取することができる天然ガス採取方法を提供する。
【解決手段】本発明の天然ガス採取方法は、二重管２０を複数のガス層１１〜１３を貫くように地中に埋設し、各ガス層における上下二箇所にバルブ３１〜３６を設置し、複数のガス層１１〜１３のうち採取層における上側のバルブから採取したかん水を内管２１を用いて汲み上げ、汲み上げたかん水から天然ガスを採取し、天然ガスを採取し終えたかん水に比重増加剤を添加剤として混ぜ、該かん水を外管２２を用いて戻すとともに前記採取層における下側のバルブから前記採取層に還元する。
【選択図】図１【図１】
0006043458.tif 000002
【図２】
0006043458.tif 000003
【図３】
0006043458.tif 000004
【図４】
0006043458.tif 000005
【図５】
0006043458.tif 000006
【図６】
0006043458.tif 000007
【図７】
0006043458.tif 000008
【図８】
0006043458.tif 000009
【図９】
0006043458.tif 000010
【図１０】
0006043458.tif 000011
【図１１】
0006043458.tif 000012
【図１２】
0006043458.tif 000013
【図１３】
0006043458.tif 000014
【図１４】
0006043458.tif 000015
【図１５】
0006043458.tif 000016
【図１６】
0006043458.tif 000017
【図１７】
0006043458.tif 000018
【図１８】
0006043458.tif 000019
【図１９】
0006043458.tif 000020
【図２０】
0006043458.tif 000021
【図２１】
0006043458.tif 000022
【図２２】
0006043458.tif 000023